(57)【特許請求の範囲】
【請求項１】
ディスプレイの表示域を遮ることなく、自動プロファイル選択に関するユーザフィードバックを提供する方法であって、
識別プロファイル制御装置によって、ディスプレイデバイスに接近した個人の識別を判定すると共に、前記個人に関する構成ビューイングプロファイルが存在するか否かを判定する段階と、
前記個人に関する構成ビューイングプロファイルが存在すると判定されると、ベゼルディスプレイ制御装置に、前記ディスプレイの表示域外側の前記ディスプレイデバイスのベゼル内に配置される二次元発光ダイオード（ＬＥＤ）アレイを用いて、前記構成ビューイングプロファイルに関するプロファイル識別子を表示するよう指令する段階と、
前記構成ビューイングプロファイルに基づいて前記ディスプレイデバイスのディスプレイデバイス設定値を自動的に調整する段階と、
を含む方法。
【請求項２】
複数の個人が前記ディスプレイデバイスに接近したことを判定する手段と、
前記ディスプレイデバイスに接近した前記複数の個人の各々に関する構成ビューイングプロファイルが存在するか否かを判定する段階と、
前記複数の個人のうちの少なくとも２人に関する構成ビューイングプロファイルが存在すると判定されると、前記複数の個人のうちの少なくとも２人に関する構成統合ビューイングプロファイルが存在するか否かを決定する段階と、
を更に含む請求項１に記載の方法。
【請求項３】
前記複数の個人のうちの少なくとも２人に関する構成統合ビューイングプロファイルが存在すると判定されると、
前記二次元発光ダイオード（ＬＥＤ）アレイを用いて、前記ベゼルディスプレイ制御装置に、前記構成統合ビューイングプロファイルに関するプロファイル識別子を表示するよう指令する段階と、
前記構成統合ビューイングプロファイルに基づいて、前記ディスプレイデバイスの装置設定値を自動的に調整する段階と、
を更に含む請求項２に記載の方法。
【請求項４】
前記複数の個人のうちの少なくとも２人に関する構成統合ビューイングプロファイルが存在しないと判定されると、
前記複数の個人のうちの少なくとも２人に関する既存の前記構成ビューイングプロファイルに基づいて、統合ビューイングプロファイルを生成する段階と、
前記ベゼルディスプレイ制御装置に、前記二次元発光ダイオード（ＬＥＤ）アレイを用いて、前記統合ビューイングプロファイルが生成されているという識別情報を表示するよう指令する段階と、
前記生成された統合ビューイングプロファイルに基づいて、前記ディスプレイデバイスに関する前記ディスプレイデバイス設定値を自動的に調整する段階と、
を更に含む請求項２に記載の方法。
【請求項５】
前記個人に関する構成ビューイングプロファイルが存在しないと判定されると、前記ベゼルディスプレイ制御装置に、前記二次元発光ダイオード（ＬＥＤ）アレイを用いて、前記個人に関する構成ビューイングプロファイルが存在しないという識別情報を表示するよう指令する段階、を更に含む請求項１に記載の方法。
【請求項６】
制限レベルが個人の構成ビューイングプロファイルに関連することを判定する段階と、  前記ベゼルディスプレイ制御装置に、前記二次元発光ダイオード（ＬＥＤ）アレイを用いて、前記構成ビューイングプロファイルに関連する前記制限レベルを示す制限識別子を表示するよう指令する段階と、
を更に含む請求項１に記載の方法。
【請求項７】
前記構成ビューイングプロファイルに関連する制限レベルを最新の制限レベルに調整するリクエストを検出する段階と、
前記制限レベルを前記最新の制限レベルに調整するための前記検出されたリクエストに関連する個人の識別を判定する段階と、
前記制限レベルを調整するための前記検出リクエストに関連する前記個人が、前記制限レベルを前記最新の制限レベルに調整する権限をもつか否かを判定する段階と、
前記制限レベルを前記最新の制限レベルに調整するための前記検出リクエストに関連する前記個人が前記制限レベルを調整する権限をもつと判定されると、前記最新の制限レベルを前記構成ビューイングプロファイルに割り当てる段階と、
前記ベゼルディスプレイ制御装置に、前記二次元発光ダイオード（ＬＥＤ）アレイを用いて、前記最新の制限レベルを表示するよう指令する段階と、
前記構成ビューイングプロファイルの前記割り当てられた最新の制限レベルに基づいて前記ディスプレイデバイスに関する前記ディスプレイデバイス設定値を自動的に調整する段階と、
を更に含む請求項１に記載の方法。
【請求項８】
前記ディスプレイデバイスに接近した個人以外の個人の入室を検出する手段と、
前記ディスプレイデバイスに接近した個人以外の前記個人が、前記ディスプレイデバイスに接近した個人の制限レベルよりも高い制限レベルをもつことを判定する段階と、
前記ベゼルディスプレイ制御装置に、前記二次元発光ダイオード（ＬＥＤ）アレイを用いて、警報を表示するよう指令する段階と、
を更に含む請求項１に記載の方法。
【請求項９】
前記個人の少なくとも１つの特徴の生体分析を行う段階を含む、前記ディスプレイデバイスに接近した個人の識別を判定する段階を更に含み、前記個人の少なくとも１つの特徴の生体分析を行う段階は、
個人の識別特徴を判定する段階と、
前記個人の識別特徴をプロファイルデータベースに格納された  識別特徴と比較する段階と、
前記個人の識別特徴が前記プロファイルデータベースに存在するか否かを判定する段階と、
を含む請求項８に記載の方法。
【請求項１０】
前記プロファイル識別子は、識別された前記個人の名前である請求項１に記載の方法。
【請求項１１】
前記プロファイル識別子は、前記構成ビューイングプロファイルに関するプロファイル名である請求項１に記載の方法。
【請求項１２】
１つ又はそれ以上のプログラム処理装置上で実行されると請求項１に記載の方法を実行する命令を格納する、コンピュータで読み取り可能な格納媒体。
【請求項１３】
表示域をもつディスプレイを有するディスプレイデバイスと、
前記ディスプレイの前記表示域外側の前記ディスプレイデバイスのベゼル内に配置される二次元発光ダイオード（ＬＥＤ）アレイと、
前記ディスプレイの前記表示域を遮ることなく、自動プロファイル選択に関するユーザフィードバックを提供するよう構成されたベゼルディスプレイ制御装置と、
構成ビューイングプロファイルを格納するメモリと、
識別プロファイル制御装置と、
を備える装置であって、前記識別プロファイル制御装置は、
前記ディスプレイデバイスに接近した個人の識別を判定すると共に、前記メモリ内に前記個人に関する構成ビューイングプロファイルが存在するか否かを判定し、
前記メモリ内に前記個人に関する前記構成ビューイングプロファイルが存在することが判定されると、
前記ベゼルディスプレイ制御装置に、前記二次元発光ダイオード（ＬＥＤ）アレイを用いて、前記構成ビューイングプロファイルに関するプロファイル識別子を表示するよう指令すると共に、前記ディスプレイデバイスに関するディスプレイデバイス設定値を前記構成ビューイングプロファイルに基づいて自動的に調整するように構成される、
装置。
【請求項１４】
前記識別プロファイル制御装置は、
複数の個人がディスプレイデバイスに接近したことを判定し、
前記ディスプレイデバイスに接近した前記複数の個人に関する構成ビューイングプロファイルが存在するか否かを判定し、
前記複数の個人の少なくとも２人に関する前記構成ビューイングプロファイルが存在すると判定されると、前記複数の個人の少なくとも２人に関する構成統合ビューイングプロファイルが存在するか否かを判定するように更に構成される、請求項１３に記載の装置。
【請求項１５】
前記複数の個人の少なくとも２人に関する前記構成統合ビューイングプロファイルが存在すると判定されると、前記識別プロファイル制御装置は、更に、
前記ベゼルディスプレイ制御装置に、前記二次元発光ダイオード（ＬＥＤ）アレイを用いて、前記構成統合ビューイングプロファイルに関連するプロファイル識別子を表示するよう指令すると共に、
前記ディスプレイデバイスに関するデバイス設定値を前記構成統合ビューイングプロファイルに基づいて自動的に調整するように構成される、
請求項１４に記載の装置。
【請求項１６】
前記複数の個人の少なくとも２人に関する前記構成統合ビューイングプロファイルが存在しないと判定されると、前記識別プロファイル制御装置は、更に、
前記複数の個人の少なくとも２人に関する既存の構成ビューイングプロファイルに基づいて統合ビューイングプロファイルを生成し、
前記ベゼルディスプレイ制御装置に、前記二次元発光ダイオード（ＬＥＤ）アレイを用いて、前記統合ビューイングプロファイルが生成されているという識別情報を表示するよう指令し、
前記ディスプレイデバイスに関する前記ディスプレイデバイス設定値を前記生成された統合ビューイングプロファイルに基づいて自動的に調整するように構成される、
請求項１５に記載の装置。
【請求項１７】
前記複数の個人の少なくとも１人に関する構成ビューイングプロファイルが存在しないと判定されると、前記識別プロファイル制御装置は、更に、
前記ベゼルディスプレイ制御装置に、前記二次元発光ダイオード（ＬＥＤ）アレイを用いて、前記複数の個人の少なくとも１人に関する構成ビューイングプロファイルが存在しないという指示を表示するよう指令するように構成される、
請求項１３に記載の装置。
【請求項１８】
入力デバイスを更に備え、前記識別プロファイル制御装置は、更に、
前記入力デバイスを用いて、前記構成ビューイングプロファイルに関する制限レベルを最新の制限レベルに調整するリクエストを検出し、
前記検出されたリクエストに関する個人の識別を判定して、前記制限レベルを前記最新の制限レベルに調整し、
前記制限レベルを調整するための検出リクエストに関する前記個人が、前記制限レベルを前記最新の制限レベルに調整する権限をもっているか否かを判定し、
前記制限レベルを前記最新の制限レベルに調整するための前記検出リクエストに関する前記個人が、前記制限レベルを調整する権限をもっていると判定されると、前記最新の制限レベルを前記構成ビューイングプロファイルに割り当て、
前記ベゼルディスプレイ制御装置に、前記二次元発光ダイオード（ＬＥＤ）アレイを用いて、前記最新の制限レベルを表示するよう指令し、
前記ディスプレイデバイスに関する前記ディスプレイデバイス設定値を、前記構成ビューイングプロファイルの前記割り当てられた最新の制限レベルに基づいて自動的に調整するように構成される、
請求項１７に記載の装置。
【請求項１９】
前記プロファイル識別子は、識別された前記個人の名前である請求項１３に記載の装置。
【請求項２０】
前記プロファイル識別子は、前記構成ビューイングプロファイルに関するプロファイル名である請求項１３に記載の装置。
【発明の詳細な説明】
【技術分野】
【０００１】
（関連出願）
本出願は、米国特許出願番号１２／６５３，３４８「照明付きベゼル情報ディスプレイ」に関連し、その開示内容の全ては本明細書に引用により組み込まれている。
（著作権及び商標の帰属）
本特許文書の開示の一部には、著作権保護の対象が含まれる。著作権者は、特許商標局の特許ファイル又はレコードに表されるような特許文書又は特許開示のファクシミリ複製物には異議を有さないが、それ以外は全ての著作権を保留する。商標はそれぞれの商標権者の財産である。
【背景技術】
【０００２】
テレビ及び他のディスプレイデバイスは、該装置が可視コンテンツを描画することを可能にするディスプレイユニットを含む。一般、このディスプレイユニットは、該ディスプレイユニットを取り囲み、それぞれのディスプレイデバイスに関連する電気回路及び機械的構成要素を衝撃及び他の環境要因から保護する、フレーム付きエンクロージャで取り囲まれている。フレーム付きエンクロージャは、プラスチック、金属、又は他の材料で形成される場合が多く、ディスプレイデバイスに機械的剛性を与えて、ディスプレイデバイスをユニットとして移動すること、組み込むこと、又は格納することを可能にしている。
【０００３】
目的及び利点と共に作動機構及び方法を示す特定の例示的な実施形態は、添付図面と一緒に以下の詳細な説明を参照することで理解できる。
【図面の簡単な説明】
【０００４】
【図１】本発明の特定の実施形態による、ベゼルに表示される識別情報を用いたユーザ個人化のためのディスプレイデバイスの実施例を示す図である。
【図２】本発明の特定の実施形態による、ベゼルに表示される識別情報を用いたユーザ個人化のためのディスプレイデバイスの実施例を示すブロック図である。
【図３】本発明の特定の実施形態による、ベゼルに表示される識別情報を用いたユーザ個人化の自動制御のためのプロセスの実施例を示すフローチャートである。
【図４】本発明の特定の実施形態による、プロファイル選択に関するベゼルに表示される識別情報を用いたユーザ個人化の自動制御のためのプロセスの実施例を示すフローチャートである。
【図５Ａ】本発明の特定の実施形態による、制限レベル変更に関するベゼルに表示される識別情報を用いたユーザ個人化の自動制御のための第１のプロセスの実施例を示すフローチャートである。
【図５Ｂ】本発明の特定の実施形態による、制限レベル変更に関するベゼルに表示される識別情報を用いたユーザ個人化の自動制御のための第２のプロセスの実施例を示すフローチャートである。
【発明を実施するための形態】
【０００５】
本発明は、多数の異なる形態の実施形態が可能であるが、これらは図面に示され特定の実施形態において以下に詳細に説明され、このような実施形態の開示は原理の一例であり、本明細書に示されて説明される特定の実施形態により本発明は限定されないことを理解されたい。以下の説明において同じ参照が番号は、各図に示される同一の、類似の、又は関連する部品に使用される。
【０００６】
本明細書で使用する場合、用語「１つの（ａ）」又は「１つの（ａｎ）」は、１つではなく１つ又はそれ以上として定義される。本明細書で使用する場合、用語「複数の（ｐｌｕｒａｌｉｔｙ）」は、２つではなく２つ又はそれ以上として定義される。本明細書で使用する場合、用語「他の（ａｎｏｔｈｅｒ）」は、少なくとも第２の又はそれ以上として定義される。本明細書で使用する場合、「含む（ｉｎｃｌｕｄｉｎｇ）」、「及び／又は（ａｎｄ／ｏｒ）」、「有する（ｈａｖｉｎｇ）」は、備える（ｃｏｍｐｒｉｓｉｎｇ）（つまり、オープンランゲージ）として定義される。本明細書で使用する場合、用語「結合した（ｃｏｕｐｌｅｄ）」は、接続した（ｃｏｎｎｅｃｔｅｄ）と定義されるが、直接的又は機械的である必要はない。本明細書で使用する場合、用語「プログラム（ｐｒｏｇｒａｍ）」又は「コンピュータプログラム（ｃｏｍｐｕｔｅｒ  ｐｒｏｇｒａｍ）」、又は類似語は、コンピュータシステムで実行するように設計された命令のシーケンスとして定義する。「プログラム（ｐｒｏｇｒａｍ）」又は「コンピュータプログラム（ｃｏｍｐｕｔｅｒ  ｐｒｏｇｒａｍ）」は、実行可能なアプリケーション、アプレット、サーブレット、ソースコード、オブジェクトコード、共有ライブラリ／動的負荷ライブラリ、及び／又は１つ又はそれよりも多くのプロセッサを有するコンピュータシステムで実行するように設計された命令の他のシーケンスにおけるサブルーチン、関数、手順、オブジェクト方法、オブジェクト実施を含むことができる。
【０００７】
本明細書で使用する場合、用語「番組（ｐｒｏｇｒａｍ）」は、第２の文脈で（上述の定義を第１の文脈のためのものとする）使用することができる。第２の文脈では、この語は、「テレビ番組」の意味で使用される。この文脈では、コンテンツが映画、スポーツイベント、複数の部分があるシリーズの一回分、ニュース放送等であるか否かに関わらず、単一のテレビ番組として解釈され、電子番組ガイド（ＥＰＧ）に報告されるコンテンツ等のオーディオビデオコンテンツの任意の整合性のあるシーケンスも意味するように「番組」という語を使用する。この語はまた、電子番組ガイドで番組として記録することができない商業スポット及び他の番組に似たコンテンツを含むと解釈することができる。
【０００８】
本明細書全体を通して、「１つの実施形態（ｏｎｅ  ｅｍｂｏｄｉｍｅｎｔ）」、「特定の実施形態（ｃｅｒｔａｉｎ  ｅｍｂｏｄｉｍｅｎｔ）」「実施形態（ａｎ  ｅｍｂｏｄｉｍｅｎｔ）」、「実施（ａｎ  ｉｍｐｌｅｍｅｎｔａｔｉｏｎ）」、「実施例（ａｎ  ｅｘａｍｐｌｅ）」、又は類似語の引用は、実施例に関して説明した特定の特徴、構造、又は特性が本発明の少なくとも１つの実施形態に含まれることを意味する。従って、本明細書を通した様々な箇所でのこのような句の出現は、必ずしも全て同じ実施形態を示すものではない。更に、特定の特徴、構造、又は特性は、非限定的にあらゆる適切な方式で１つ又はそれよりも多くの実施形態に組み合わせることができる。
【０００９】
本明細書で使用する場合、用語「又は（ｏｒ）」は、いずれか１つ又はあらゆる組合せを含むか又は意味するものとして解釈すべきである。従って、「Ａ、Ｂ、又はＣ」は、Ａ；Ｂ；Ｃ；Ａ及びＢ；Ａ及びＣ；Ｂ及びＣ；Ａ、Ｂ、及びＣのいずれか」を意味する。この定義の例外は、要素、機能、段階、又は行為の組合せが、何らかの方法で本質的に相互に排他的である場合にのみ発生することになる。
【００１０】
本発明の主題は、ベゼルに表示された識別情報を用いてユーザ個人化を提供すること、及びディスプレイの表示域を遮ることなく自動的なプロファイル選択に関するユーザフィードバックを提供することである。ディスプレイデバイスは、ディスプレイデバイスに接近した１人又はそれ以上のユーザを自動的に検出し、識別された個人に関する構成ビューイングプロファイルが構成されている場合には自動的に個人を識別する。ビューイングプロファイルが構成されていない個人を検出できる。ディスプレイデバイスは、例えば、顔認識、指／親指の指紋スキャン、音声認識等、又は所定の実施に適切な他の手法といった生体識別情報を使用してユーザを識別できる。ディスプレイデバイスは、入力選択又は所定の実施に適切な他の手法によってユーザを識別できる。
【００１１】
識別されたユーザの構成ビューイングプロファイル又は統合ビューイングプロファイル（例えば、複数ユーザのプロファイルのブレンドを表すために生じるファミリープロファイル（例えば、全ての視聴者等を評価する最も保守的なコンテンツ））は、自動的に選択される。選択されたビューイングプロファイルに関連するプロファイル識別子は、ディスプレイの視聴表示域の外側のディスプレイデバイスのベゼル内に配置された照明付きベゼル情報ディスプレイに表示される。自動的に選択されたビューイングプロファイルに関連するディスプレイデバイスのディスプレイ設定値は、選択されたビューイングプロファイルに基づいて自動的に調整される。
【００１２】
従って、ユーザ個人化は、視聴基本設定に対して自動的に行われ、デバイス設定値はユーザに対して自動的に調整される。更に、プロファイル識別子をディスプレイの表示域外側の照明付きベゼル情報ディスプレイ内に表示することで、個人はビューイングプロファイル選択が所定の状況に適切であることを確認できる。例えば、両親は、リモコンの使用を余儀されることなく又はディスプレイデバイスに近づくことなく、及びプロファイル識別子がディスプレイデバイスのディスプレイに描画される表示コンテンツを遮ることなく、子供の視聴行為を制限するように子供のビューイングプロファイルが選択されたことを確認できる。
【００１３】
更に、追加の実施例として、成人が、子供及び入室する子供のための両親の視聴基本設定に関する制御を含む子供／家族ビューイングプロファイル以外の、ビューイングプロファイルに関するコンテンツを視聴する際に、ディスプレイデバイスは、子供が入室したことを自動的に認識できる。ディスプレイデバイスは、選択されたプロファイルが子供／家族ビューイングプロファイル以外であることを判定できる。この状況では、ディスプレイデバイスは、自動的に照明付きベゼル情報ディスプレイを用いて子供が入室したとの警報を発生して、両親に対して現在表示中のコンテンツは子供が視聴するに相応しくないことを警告する（例えば、「これは成人向けで子供が今しがた入室した」）、又は他のコンテンツレイティング警報メッセージメッセを発生する。ディスプレイデバイスに接近した個人の自動検出及びビューイングプロファイル及びデバイス設定値の自動選択に基づく照明付きベゼル情報ディスプレイには、他の多くの可能性があり、これらの可能性は本発明の範囲に含まれると見なす。
【００１４】
前述のように、及び以下に詳細に示すように、ディスプレイデバイスは、ディスプレイデバイスに接近した個人の識別を判定する。ディスプレイデバイスは、個人の構成ビューイングプロファイルが存在するか否かを判定する。個人の構成ビューイングプロファイルが存在すると判定されると、構成ビューイングプロファイルに関連するプロファイル識別子が、ディスプレイの表示域外側のディスプレイデバイスベゼル内に配置される二次元発光ダイオード（ＬＥＤ）アレイを用いて表示される。ディスプレイデバイス設定値は、構成ビューイングプロファイルに基づいて自動的に調整される。
【００１５】
本明細書では、用語「ベゼル（ｂｅｚｅｌ）」は、ディスプレイを取り囲むディスプレイデバイスのエンクロージャ、又はディスプレイの任意の部位又は部分のフレーム領域を含む。ベゼルは、ディスプレイデバイスで囲まれたディスプレイの描画表示域の外側に配置されるエンクロージャ領域を含むと見なされる。更に、ディスプレイデバイスの表示域の描画コンテンツを視聴しているユーザの視点から見ることができるエンクロージャの任意の領域を含むと見なされる。
【００１６】
映画やテレビ番組等の可視コンテンツは、ディスプレイデバイスの表示域に表示される。このような可視コンテンツは、放送、ケーブル、電話、インターネット、衛星、又は他のソースを含むが限定されるものではない従来型又は非従来型のソースから提供でき、任意の適切な方法で検出、復号、及び／又は多重分離してテレビ番組を視聴するような体験をもたらすことができる。
【００１７】
作動的に、視聴者の視聴体験は、ディスプレイデバイスの表示域の外側に、テキスト及び色描画機能を含むグラフィックス機能を有する、ベゼルに表示された識別情報を用いた二次元ユーザ個人化によって対話及び情報機能を提供することで改善できる。対話及び情報処理を別個の二次元照明付きベゼル情報ディスプレイに分割することで、視聴者は、コンテンンツを、選択されたビューイングプロファイルに関連する個人以外の個人の検出に関連する、プロファイル識別子情報及び／又は警報の表示画面で遮られることなく引き続き視聴できる（例えば、画面上メニューを使用することなく）。
【００１８】
図１を参照すると、図１は、ベゼルに表示された識別情報を用いたユーザ個人化のためのディスプレイデバイス１００の実施例を示す。ディスプレイデバイス１００は、エンクロージャ１０４内に配置されるディスプレイ１０２を含む。ディスプレイ１０２は、液晶ディスプレイ（ＬＣＤ）、発光ダイオード（ＬＥＤ）、陰極線管（ＣＲＴ）、プロジェクタ、タッチスクリーン、又は他のディスプレイ要素又はパネル等の視聴用コンテンツを描画できるディスプレイ技術を含むことができる。特定の実施において、ディスプレイデバイス１００はテレビのディスプレイとすることができる。
【００１９】
エンクロージャ１０４は、プラスチック、金属、複合材料、又は他の材料といった、特定の実施のための適切な材料で形成又は成形できる。更に、本明細書において、ディスプレイ１０２上の描画コンテンツを視聴しているユーザの視点から見ることができるエンクロージャ１０４の全領域は、ディスプレイデバイス１００のベゼル領域（例えば、フレーム領域）と見なす。照明付きベゼル情報ディスプレイ１０６は、エンクロージャ１０４の下部に沿って示される。以下に詳細に説明するように、照明付きベゼル情報ディスプレイ１０６は、ディスプレイデバイス１００の構成ディスプレイモードに基づく情報等の種々の目的の情報を表示する。
【００２０】
照明付きベゼル情報ディスプレイ１０６を用いて、選択されたプロファイル情報、及び警報／警告を自動的に表示すると、ユーザは、ディスプレイ１０２上の描画コンテンツを視聴すること、又は例えば、両親は、選択されたビューイングプロファイルに関する情報を見ることができ、表示情報がユーザ又は両親の描画コンテンツ視聴を遮ることはない。従って、本発明の主題は、ユーザの描画コンテンツの視聴に支障を来すことなく、プロファイル情報の表示及びユーザのディスプレイデバイス１００等のデバイスとの対話を提供する。
【００２１】
照明付きベゼル情報ディスプレイ１０６は、所定の実施に適した任意の形態のディスプレイを含むことができる。例えば、照明付きベゼル情報ディスプレイ１０６は、１つ又はそれ以上の異なる色のＬＥＤを有するＬＥＤアレイを含むことができる。更に、照明付きベゼル情報ディスプレイ１０６は、１つ又はそれ以上の異なる色のＬＥＤを有する二次元サブピクセルＬＥＤアレイ、色制御可能なＬＥＤ（例えば、赤色、緑色、青色（ＲＧＢ）ＬＥＤ）、及び／又は低解像度プロジェクタを含むことができる。低解像度プロジェクタの場合、エンクロージャ１０４は、例えば、２ショット射出成形法を用いて形成できる。２ショット射出成形法により、透明、不透明、又は半透明材料等の拡散材料を他の材料に混ぜて、エンクロージャ１０４に別の視覚効果を与えることができる。この実施において、例えば、情報を２ショット射出成形法で生じた対照的な色又は混合物に投影すると表示情報にコントラストを与えることができる。照明付きベゼル情報ディスプレイの多数の変形例が可能であり、これら全ては本発明の主題の範囲にあると見なされる。
【００２２】
本明細書において、二次元サブピクセルＬＥＤアレイは、ＬＥＤの二次元アレイを含むことができ、各々のＬＥＤは、表示されることになる情報ピクセルよりも小さな解像度を有する。従って、照明付きベゼル情報ディスプレイ１０６による表示情報内の粒度の変化（例えば、色の変化）は、二次元サブピクセルＬＥＤアレイとして実現される場合、表示されることになる情報ピクセよりも小さい。補間又は他の技法は、隣接するピクセル間の画像の色又はエッジの移り変わりのために使用され、表示される未処理の情報内で符号化されるものよりも高解像度なものを作成するようになっている。更に、二次元サブピクセルＬＥＤアレイの解像度を改善することでより多くの情報を表示できる。更に、照明付きベゼル情報ディスプレイ１０６を二次元サブピクセルＬＥＤアレイとして実施すると、情報描画時に情報の解像度を改善して、照明付きベゼル情報ディスプレイ１０６でより多くの情報を表示できる可能性をもたらす。もしくは、照明付きベゼル情報ディスプレイ１０６は、本発明の主題から逸脱することなく、液晶ディスプレイ（ＬＣＤ）、陰極線管（ＣＲＴ）、プロジェクタ、タッチスクリーン、又は他のディスプレイ要素又はパネル等の視聴用コンテンツを描画できるディスプレイ技術を含むことができる。
【００２３】
また、照明付きベゼル情報ディスプレイ１０８、照明付きベゼル情報ディスプレイ１１０、及び照明付きベゼル情報ディスプレイ１１２も示されている。照明付きベゼル情報ディスプレイ１０８、１１０、及び１１２の各々は図１において破線表現で示されており、所定の実施に適するように、それぞれのデバイスは、照明付きベゼル情報ディスプレイ１０６に対して別の場所とすること、又はディスプレイデバイス１００の追加の又は別個の照明付きベゼル情報ディスプレイとし得ることが示されている。更に、本実施例に示す以外の追加の照明付きベゼル情報ディスプレイをディスプレイデバイス１００等のデバイス内に含むことができる。他の変更例として、実施例の照明付きベゼル情報ディスプレイ１０６、１０８、１１０、及び１１２は、エンクロージャ１０４の各コーナに相互連結して、情報をディスプレイ１０２の全周囲に表示できるようにすることができる。従って、照明付きベゼル情報ディスプレイは、ディスプレイ１０２等のディスプレイの表示域外側で、ディスプレイデバイス１００のエンクロージャ１０４等のフレーム領域又はベゼルの任意の場所に配置できる。更に、照明付きベゼル情報ディスプレイ１０６、１０８、１１０、及び１１２の一部又は全ては、ディスプレイ１０２からエンクロージャ１０４の外縁部又はその任意の部分にわたって延びることができる。従って、エンクロージャ１０４の最大で全ての可視領域まで照明付きベゼル情報ディスプレイを用いて形成できる。従って、照明付きベゼル情報ディスプレイ配置に関する多くの変型例が可能であり、これらの全ては本発明の主題の範囲にあると見なされる。
【００２４】
ディスプレイデバイス１００は、前述のように情報を描画及び処理できる何らかのデバイスとすることができ以下に詳細に示す。例えば、ディスプレイデバイス１００は、テレビ、パーソナルコンピュータ（例えば、デスクトップ型、ラップトップ型、パーム型等）、携帯用デバイス（例えば、携帯電話、携帯情報端末（ＰＤＡ）、電子メールデバイス、音楽録音又は再生デバイス等）、又は前述のように情報を描画及び処理でき以下に詳細に示す何らかのデバイスといったデバイスを含むことができる。情報がそれぞれの照明付きベゼル情報ディスプレイの潜在能力を超える場合、ベゼル情報ディスプレイ上に情報を描画するためにスクローリング及び他の技術を使用できる。
【００２５】
図２は、ベゼルに表示される識別情報を用いたユーザ個人化のためのディスプレイデバイス１００の実施例のブロック図である。処理装置２００は、コンピュータ命令実行、演算、及びディスプレイデバイス１００内の他の機能を提供する。ディスプレイ１０２及び照明付きベゼル情報ディスプレイ１０６が示されている。
【００２６】
メモリ２０２は、ディスプレイデバイス１００に接近したと判定された個人に関する識別情報、及び照明付きベゼル情報ディスプレイ１０６を用いて表示される情報のユーザ個人化に関する他の情報等の情報を格納する表示情報格納領域２０４を含む。メモリ２０２は、使用目的に適する揮発性及び不揮発性メモリの何らかの組み合わせ、及び所定の実施に適する分散及び局在メモリ、及び説明を簡単にするために本実施例には示されていない他のメモリセグメントを含むことを理解されたい。例えば、メモリ２０２は、本発明の主題から逸脱することなく、コード格納領域、コード実行領域、及びデータ領域を含むことができる。
【００２７】
ベゼルディスプレイ制御装置２０６は、照明付きベゼル情報ディスプレイ１０６の表示コンテンツを制御する。以下に詳細に説明するように、ベゼルディスプレイ制御装置２０６は、照明付きベゼル情報ディスプレイ１０６を用いて表示されることになる様々な情報を発生できる。例えば、ベゼルディスプレイ制御装置２０６は、以下に詳細に示すように、ディスプレイデバイス１００に接近した個人の識別情報に基づいて自動的に選択される構成ビューイングプロファイルに関するプロファイル識別子を表示できる。コンテンツインタフェースモジュール２０８は、ディスプレイデバイス１００の通信機能を提供する。前述のように及び以下に詳細に示すように、コンテンツインタフェースモジュール２０８は使用目的に適する任意の形態の相互接続を含むことができ、該相互接続は、イントラネット又はインターネット等の私的又は公衆ネットワーク接続、直接モジュール間相互接続、ダイアルアップ接続、無線接続、又はディスプレイデバイス１００を他の構成要素に相互接続できる他の任意の相互接続機構を含み、該構成要素は、ディスプレイ１０２及び照明付きベゼル情報ディスプレイ１０６を用いてそれぞれ描画するためにコンテンツ及び情報にアクセスできる。また、コンテンツインタフェースモジュール２０８は無線又は有線キャリアのいずれかによる電話相互接続機能及びコンテンツにアクセスするための何らかの他の相互接続機能を含み得ることを理解されたい。また、コンテンツインタフェースモジュール２０８は、テキストメッセージ送受信、ＲＳＳフィード受信及び処理、証券情報受信及び処理機能、及びその他の情報処理機能を含むことができる。コンテンツインタフェースモジュール２０８の前述の機能は、本発明の主題の範囲にあることが分かるが、簡潔のために本明細書には詳細に説明されていない。当業者であれば、本明細書の説明に基づいて所定の実施に適するこのようなインタフェースを実施できることを理解されたい。
【００２８】
チューナ／デコーダモジュール２１０は、テレビジョン（例えば、音声／映像）コンテンツを受信して、コンテンツをデコードしてディスプレイ１０２を用いて表示する。コンテンツは、何らかの動画の圧縮・伸長の国際標準規格（ＭＰＥＧ）によってフォーマットされたコンテンツ、又はチューナ／デコーダモジュール２１０での受信に適する何らかの他の形式でフォーマットされたコンテンツを含むことができる。チューナ／デコーダモジュール２１０は、該チューナ／デコーダモジュール２１０の機能を実行するために使用される何らかのハードウエア、プログラム処理装置、及びメモリを含むことを理解されたい。例えば、チューナ／デコーダモジュール２１０は、無線又は有線接続経由で受信したディスプレイデバイス１００へのコンテンツに同調してデコードするためにチューナ／デコーダモジュール２１０に関する電気制御作動を行うための、特定用途向け集積回路（ＡＳＩＣ）の形態の追加の制御装置の電気回路、アンテナ、処理装置、及び／又はディスクリート半導体回路及び構成要素を含むことができる。
【００２９】
ベゼルディスプレイ制御装置２０６、コンテンツインタフェースモジュール２０８、チューナ／デコーダモジュール２１０、及びディスプレイ１０２に関して３つの方向性のある接続が示されている。方向性のある接続２１２により、コンテンツインタフェースモジュール２０８は受信したコンテンツ及び情報を直接ベゼルディスプレイ制御装置２０６へ供給して、照明付きベゼル情報ディスプレイ１０６を用いて描画することができる。方向性のある接続２１４により、コンテンツインタフェースモジュール２０８は、ＩＰベースの通信手段を経由して受信したＭＰＥＧ符号化コンテンツ等の受信コンテンツをチューナ／デコーダモジュール２１０へ供給して、ディスプレイ１０２を用いて復号化及び描画することができる。方向性のある接続２１６により、チューナ／デコーダモジュール２１０は、復号化コンテンツを直接ディスプレイ１０２に供給して描画することができる。従って、コンテンツインタフェースモジュール２０８が受信したコンテンツは、処理装置２００による追加的な介入又は制御なしで、所定の情報／コンテンツに適するように、それぞれ方向性のある接続２１２及び方向性のある接続２１４を用いてベゼルディスプレイ制御装置２０６又はチューナ／デコーダモジュール２１０のいずれかに送ることができる。更に、ディスプレイ１０２を用いて表示するコンテンツは、処理装置２００による追加的な介入又は制御なしで、方向性のある接続２１６を用いてチューナ／デコーダモジュール２１０からディスプレイ１０２へ送ることができる。
【００３０】
本実施例の相互接続を説明したが、他の相互接続も可能であり、本発明の主題の範囲にあると見なされることに留意されたい。例えば、追加の相互接続を備え、チューナ／デコーダモジュール２１０が字幕又は他の情報をベゼルディスプレイ制御装置２０６へ提供して照明付きベゼル情報ディスプレイ１０６を用いて描画することができる。更に、字幕又は他の情報は、以下に詳細に説明すると共に本実施例で示すようなモジュール間の他の接続を用いて提供できる。
【００３１】
プロファイルデータベース２１８は、構成ビューイングプロファイル及び関連情報のための格納機能を提供する。例えば、構成ビューイングプロファイル及びプロファイル識別子情報は、プロファイルデータベース２１８内に格納して、照明付きベゼル情報ディスプレイ１０６を用いて表示できる。また、識別情報照合情報は、所定の実施に適するようにプロファイルデータベース２１８内に格納でき、ディスプレイデバイス１００への接近が検出された個人の照合が可能になる。例えば、プロファイルデータベース２１８は、認識目的で照合入力情報に使用するために、顔認識時に使用する顔画像、指／親指指紋認証のためのスキャン画像、音声認識のための音声周波数及び画像特性、及び自動プロファイル選択時に使用するための他の関連情報等の、以前に取得した生体識別情報（例えば、識別特性）を格納できる。また、プロファイルデータベース２１８は、前述のように及び以下に詳細に示すように、照明付きベゼル情報ディスプレイ１０６を用いて表示するために、警報及び警告情報を含むことができる。また、プロファイルデータベース２１８は、音楽に合わせて又は他の目的でランダムに絶えず変化する色パターンの同期表示のためのランダムパターン等のパターンを含むことができる。
【００３２】
アイデンティティ／プロファイル制御装置２２０は、ディスプレイデバイス１００のための識別機能を提供する。アイデンティティ／プロファイル制御装置２２０は、例えば、ディスプレイデバイスに接近した個人を識別して、個人の構成ビューイングプロファイルが存在するか否かを判定できる。アイデンティティ／プロファイル制御装置２２０は、ディスプレイデバイスに接近した個人を、例えば、顔認識、指／親指指紋スキャン、音声認識等、又は所定の実施のための他の適切な手法等の生体識別情報を用いて識別できる。また、アイデンティティ／プロファイル制御装置２２０は、ビューイングプロファイルの生成及び／又は変更に関する情報を受信でき、入力選択（以下に詳細に説明するような）によって、又は所定の実施のための他の適切な手法によってユーザを識別できる。更に、アイデンティティ／プロファイル制御装置２２０は、ベゼルディスプレイ制御装置２０６とインタフェース接続でき、前述のように及び以下に詳細に示すように、照明付きベゼル情報ディスプレイ１０６を用いて、構成ビューイングプロファイル及び警報／警告情報に関するプロファイル識別情報を表示するように指示できる。更に、前述のように及び以下に詳細に示すように、アイデンティティ／プロファイル制御装置２２０は、構成ビューイングプロファイルに基づいて、ディスプレイデバイス１００のディスプレイデバイス設定値を自動調整する。自動的に調整されるディスプレイデバイス設定値としては、音量設定値、色コントラスト設定値、色調設定値、及び他の設定値を挙げることができる。
【００３３】
音声出力２２２は、ディスプレイデバイス１００の音声出力制御を提供する。音声出力２２２は、スピーカ用の適切な駆動回路等を含むことができる。しかしながら、所定の実施において、本発明の主題から逸脱することなく、音声出力２２２はスピーカを含み得ることを理解されたい。このような実施において、構成ビューイングプロファイルに関連する個人以外の別の個人の検出に関する警報及び／又は警告は、ディスプレイデバイス１００に接近した個人に対して音声で告げられる。更に、照明付きベゼル情報ディスプレイ１０６を用いた可視情報の表示は、音楽に合わせて行うことができる。
【００３４】
入力インタフェース２２４は、ユーザの入力機能を提供する。本明細書において、入力インタフェース２２４は、１つ又はそれ以上の入力デバイスを含むことができ、又は以下に説明するような又は別の１つ又はそれ以上の入力デバイスからの入力を受信するように構成できる。入力インタフェース２２４は、遠隔制御デバイス（図示せず）からの入力信号を受信するための赤外線（ＩＲ）回路を含むことができる。また、入力インタフェース２２４は、無線入力インタフェース回路を含むことができる。例えば、所定の実施に適するユーザ入力情報を受信するためのＢｌｕｅｔｏｏｔｈ等の無線周波数（ＲＦ）遠隔制御信号又は他の信号を含むことができる。また、入力インタフェース２２４は、マウス、ペン、トラックボール、キーボード、又は他の入力デバイスを用いた入力を検出するための入力回路を含むことができる。入力インタフェース２２４は、１つ又はそれ以上の入力デバイスを使用可能にするのに十分な入力回路を含むことができる。
【００３５】
また、入力インタフェース２２４は、ビューイングプロファイルの構成に関連する情報の処理機能を含むことができ、この情報をアイデンティティ／プロファイル制御装置２２０に送って構成ビューイングプロファイルを検索、生成、及び変更することができる。更に、入力インタフェース２２４は、パスワード又はアカウント番号等のユーザの識別に関連する情報を受信し、ユーザに関する識別情報の入力に関連するユーザ識別のために、この受信情報をアイデンティティ／プロファイル制御装置２２０へ送るための処理機能を含むことができる。ユーザ識別に関する情報は、例えば、遠隔制御デバイス又はディスプレイデバイス１００に関する入力デバイスから受信できる（図示せず）。更に、入力インタフェース２２４は、音声認識のための音声入力を受信するための処理機能を含み、受信した未処理の音声情報をアナログ又はデジタル形式のいずれかでユーザ識別のためアイデンティティ／プロファイル制御装置２２０に送ることができる。音声認識のための音声入力は、遠隔制御デバイス又はディスプレイデバイス１００に関連するマイク入力を用いて受信できる（図示せず）。入力インタフェース２２４は、以下に詳細に示すように、ディスプレイデバイス１００に接近するユーザを識別する画像認識のための画像入力を受信する処理機能を含むことができる。画像認識のための画像入力は、例えば、遠隔制御デバイス又はディスプレイデバイス１００に関連する画像又は網膜スキャナ等の画像取り込み装置を用いて受信できる（図示せず）。また、入力インタフェース２２４は、運動センサ又はディスプレイデバイス１００に接近した個人を検出できる他の入力技術から受信するための処理機能を含むことができる。入力インタフェース２２４で使用できる他の多数の入力構成が可能であり、これらすべては本発明の主題の範囲にあると見なされる。
【００３６】
カメラ２２６は、ディスプレイデバイス１００のための画像取り込み機能を提供する。カメラ２２６から取り込んだ画像は、例えば、入力インタフェース２２４によって処理すること、又は顔認識のためにアイデンティティ／プロファイル制御装置２２０に直接送ることができる。
【００３７】
ディスプレイデバイス１００に関する前述のモジュールは、説明目的で図示を容易にするために構成部品レベルのモジュールとして示されることに留意されたい。また、前述のように及び以下に詳細に示すように、これらのモジュールは、それぞれの機能を実行するために使用される何らかのハードウエア、プログラム処理装置、及びメモリを含むことを理解されたい。例えば、それぞれのモジュールは、電気制御作動を行う、特定用途向け集積回路（ＡＳＩＣ）の形態の追加の制御装置の電気回路、及び／又はディスクリート半導体回路、及び構成要素を含むことができる。更に、モジュールは、必要に応じて割り込みレベル、スタックレベル、及びアプリケーションレベルモジュールを含むことができる。更に、モジュールは、格納、実行、及びこれらのモジュールによるそれぞれの処理作動を行うためのデータ処理用の何らかのメモリ部品を含むことができる。また、モジュールは、本発明の主題の範囲から逸脱することなく、以下に説明する電気回路の一部を構成できる。
【００３８】
また、ベゼルディスプレイ制御装置２０６及びアイデンティティ／プロファイル制御装置２２０等の特定のモジュールは、メモリ２０２内に格納されたアプリケーションとして別の方法で実施できることを理解されたい。このような実施において、本明細書で説明する機能を果たすために、それぞれのモジュールは処理装置２００で実行される命令を含むことができる。処理装置２００は、これらの命令を実行して、ディスプレイデバイス１００に関する前述の及び以下に詳細に示す処理機能を提供する。これらのモジュールは、本発明の主題の範囲から逸脱することなく、割り込み処理ルーチン（ＩＳＲ）の一部、オペレーティングシステムの一部、ブラウザアプリケーションの一部、又は別のアプリケーションの一部を構成できる。
【００３９】
処理装置２００、メモリ２０２、ベゼルディスプレイ制御装置２０６、コンテンツインタフェースモジュール２０８、チューナ／デコーダモジュール２１０、プロファイルデータベース２１８、アイデンティティ／プロファイル制御装置２２０、音声出力２２２、入力インタフェース２２４、カメラ２２６、及び照明付きベゼル情報ディスプレイ１０６は、ディスプレイデバイス１００内で相互接続２２８を用いて相互接続される。相互接続２２８は、所定の実施に適する任意の相互接続を構成する。例えば、相互接続２２８は、システムバス、ネットワーク、又はそれぞれの目的に適切する相互接続をもつそれぞれの構成要素を提供できる何らかの他の相互接続を含むことができる。他の相互接続も可能であり、これら全ては、本発明の主題の範囲にあると見なされる。
【００４０】
ディスプレイデバイス１００は、説明される特定の構成要素を備えるように示されるが、他のモジュール及び構成要素はディスプレイデバイス１００に組み合わせることができる。更に、例示を容易にする目的でディスプレイデバイス１００は単一のデバイスとして説明されるが、ディスプレイデバイス１００内の構成要素は別の方法でホームネットワーク等のネットワークを用いて分散又は相互接続できることを理解されたい。ディスプレイデバイス１００の構成要素に関する多数の配置が可能であり、これら全ては本発明の主題の範囲にあると見なされる。プロファイルデータベース２１８は別個の構成要素として示されるが、本発明の主題の範囲から逸脱することなく、プロファイルデータベース２１８に格納された情報はメモリ２０２に格納できることを理解されたい。
【００４１】
テレビジョン（ＴＶ）ディスプレイの場合、特定に実施において、それぞれの照明付きベゼル情報ディスプレイは、ユーザ識別子又はプロファイル識別子等のユーザ識別を表示するために使用できる。特定に実施例において、ディスプレイは、ユーザとコンテンツレイティングシステムを関連づけて、及びユーザに関する上限レイティング又は現在の描画番組内容のレイティングを表示できる（例えば、ＰＧの動画レイティング）。別の実施において、ユーザの広告用プロファイル基本設定に基づいた広告を選択して表示することができる。表示情報を個人化するためのユーザ基本設定に関する情報表示の多数の他の変形例を利用可能であり、これら全ては本発明の主題の範囲にあると見なされる。
【００４２】
以下の図３から図５Ｂは、ディスプレイデバイス１００等のデバイスが実行して、本明細書に説明するベゼルに表示された識別情報を用いてユーザ個人化を行うことができる例示的なプロセスである。例示的プロセスの他の多数の変形例が可能であり、これら全ては本発明の主題の範囲にあると見なされる。例示的プロセスは、ベゼルディスプレイ制御装置２０６、アイデンティティ／プロファイル制御装置２２０等のモジュールで実行でき、及び／又は処理装置２００で実行できる。タイムアウト手順及び他のエラー制御手順は、例示を容易にする目的で以下に説明する例示的プロセスには示されていないことを理解されたい。しかしながら、このような手順の全ては本発明の主題の範囲にあると見なされることを理解されたい。更に、以下に説明するプロセスの特定の部分は、例示を容易にする目的で、特定の入力リクエストが入力デバイスを用いて検出されることを示している。しかしながら、何らかの入力リクエストの検出は、入力インタフェース２２４等の入力インタフェース構成要素を用いて検出できることを理解されたい。更に、図４から図５Ｂでは、照明付きベゼル情報ディスプレイ１０６は図面スペースの制約から「ＬＥＤアレイ」と呼ぶ。しかしながら、照明付きベゼル情報ディスプレイ１０６は、本発明の主題の範囲で任意の形態又は技術のディスプレイを含み得ることを理解されたい。
【００４３】
図３は、ベゼルに表示された識別情報を用いたユーザ個人化の自動制御のためのプロセス３００の実施例のフローチャートである。プロセス３００は３０２で始まる。ブロック３０４において、プロセス３００は、識別プロファイル制御装置を用いて、ディスプレイデバイスに接近した個人の識別を判定すると共に個人の構成ビューイングプロファイルが存在するか否かを判定する。ブロック３０６において、個人の構成ビューイングプロファイルが存在すると判定すると、プロセス３００は、ベゼルディスプレイ制御装置に、ディスプレイの表示域外側のディスプレイデバイスのベゼル内に配置される二次元発光ダイオード（ＬＥＤ）アレイを用いて、構成ビューイングプロファイルに関連するプロファイル識別子を表示するよう指令する。ブロック３０８において、プロセス３００は、構成ビューイングプロファイルに基づいてディスプレイデバイスに関するディスプレイデバイス設定値を自動的に調整する。この実施例はＬＥＤアレイを示すが、他のビデオアレイも制限なく使用できる。
【００４４】
図４は、本発明の主題に関するプロファイル選択のための、ベゼルに表示された識別情報を用いたユーザ個人化の自動制御のためのプロセス４３００の実施例のフローチャートである。プロセス４００は、ディスプレイデバイス１００が設置してある部屋に入室した個人の検出に関して図示及び説明される。しかしながら、ディスプレイデバイス１００が設置される部屋を退出する個人を検出するために同様の処理を行い得ることを理解されたい。プロセス４００は４０２で始まる。決定ポイント４０４において、プロセス４００は、ディスプレイデバイス１００等のディスプレイデバイスに接近した個人が検出されているか否かを判定する。前述のように、個人は種々の方法で検出できる。例えば、プロセス４００は、１人又はそれ以上の個人がディスプレイデバイス１００に接近したことを入力インタフェース２２４に接続する運動センサ（図示せず）で検出できる。更に、カメラ２２６は、動き及びディスプレイデバイス１００に接近した個人を検出するために利用できる。ディスプレイデバイス１００に接近した個人を検出するための多数の他のやり方が可能であり、これら全ては本発明の主題の範囲にあると見なされる。
【００４５】
決定ポイント４０４において個人が検出されていると判定されると、プロセス４００は、ブロック４０６において個人の識別を判定する。個人の識別は、例えば、顔認識、音声認識、指／親指の指紋認識等を行うことができ、他の形式の認識を行うこともできる。更に、識別認識は、プロファイルデータベース２１８内に格納された識別照合情報と併せて、入力インタフェース２２４又はカメラ２２６からの入力を利用して行うことができる。
【００４６】
従って、プロセス４００は、個人の少なくとも１つの特徴の生体分析を行うことができる。生体分析は、個人の識別特徴を判定し、個人の識別特徴をプロファイルデータベース２１８に格納された識別特徴と比較し、個人の識別特徴がプロファイルデータベース２１８に存在するか否かを判定することを含む。個人の識別特徴の判定は、個人の指の指紋スキャンを受信すること、個人の顔画像スキャンを受信すること、個人のパスコードを受信すること、取り込んだ個人の会話を表す音声認識モジュールからの特別なイメージを受信すること、又は他の作動を含むことができる。また、個人の識別特徴の判定は、ディスプレイデバイス１００に関連する遠隔制御デバイス（図示せず）からの指／親指の指紋等の生体情報を受信することを含むことができる。遠隔制御デバイスから生体情報を受信することは、遠隔制御デバイスがカメラを含む場合、個人の顔の少なくとも１つのイメージスキャンを受信すること、遠隔制御デバイスがマイクを含む場合、個人の声のボイススキャンを受信すること、遠隔制御デバイスが指／親指の指紋スキャナを含む場合、個人の親指又は指の指紋スキャンを受信することを含むことができる。
【００４７】
個人の識別特徴を識別特徴のデータベースと比較することは、識別特徴のプロファイルデータベース２１８を個人の識別特徴を用いて調べることを含むことができる。この場合、個人の識別特徴が識別特徴のデータベース内に存在するか否かの判定は、個人の識別特徴に関するプロファイルデータベース２１８内で照合一致するか否かを判定することを含むことができる。
【００４８】
個人の識別特徴がプロファイルデータベース２１８内に存在すると判定すると、プロセス４００は、プロファイルデータベース２１８内の個人の識別特徴に関するデータベースからディスプレイデバイスに接近した個人の識別を検索する。照合一致がない場合、特定の実施において、システムは、ディスプレイデバイス（例えば、テレビ装置のディスプレイ）の作動制御に使用する既定のパラメータを有する既定のビューイングプロファイルを呼び出すことができる。このような既定値は、ユーザが設定するか又は製造時に予め設定することができる。
【００４９】
決定ポイント４０８において、プロセス４００は、識別された個人の構成ビューイングプロファイルが、例えば、プロファイルデータベース２１８内に存在するかどうかの判定を行う。複数の個人を検出して識別できることを理解されたい。この場合、ファミリープロファイル等の統合プロファイルを構成することができ、プロファイルデータベース２１８内に存在できる。
【００５０】
決定ポイント４０８において、識別された個人に関する構成ビューイングプロファイルが存在しない場合、プロセス４００は、ブロック４１０においてベゼルディスプレイ制御装置２０６等のベゼルディスプレイ制御装置に、照明付きベゼル情報ディスプレイ１０６を用いて、識別された個人の構成ビューイングプロファイルが存在しないという指示を表示するよう指令し、決定ポイント４０４に戻ってディスプレイデバイス１００に接近した別の個人を待つ。構成ビューイングプロファイルが存在するとの判定がなされると、プロセス４００は、ブロック４１２において識別された個人に関するプロファイル情報を検索する。プロセス４００は、決定ポイント４１４において、別の個人が検出されているか否かの判定を行う。別の個人が検出されているとの判定がなされる場合、プロセス４００は、ブロック４１６において個人のカウント数を増加させてブロック４０６に戻り、前述のことを繰り返す。
【００５１】
決定ポイント４１４において、別の個人が検出されていないという判定がなされる場合、プロセス４００は、決定ポイント４１８において個人のカウント数が１人（例えば、「１」）より多いか否かを判定する。個人のカウント数が１人よりも多いとの判定がなされた場合、プロセス４００は、ブロック４２０においてベゼルディスプレイ制御装置２０６に、照明付きベゼル情報ディスプレイ１０６を用いてプロファイル識別子を表示するよう指令する。プロファイル識別子は、識別された個人の名前又は構成ビューイングプロファイルに関するプロファイル名等の識別情報を含むことができる。プロセス４００は、ブロック４２２において構成ビューイングプロファイルに基づいてディスプレイデバイス１００のディスプレイデバイス設定値を自動的に調整する。例えば、構成ビューイングプロファイルは、音量、色コントラスト、色調、上限コンテンツレイティング、及び構成ビューイングプロファイルに関する識別されたユーザが好む他の設定値（又は、既定値）に関する予め構成された設定値の基本設定を含むことができる。これらの予め構成された設定値は、個人の識別情報及び構成ビューイングプロファイル内に格納された基本設定に基づいて自動的に調整できる。プロセス４００は決定ポイント４０４に戻り別の個人の検出を待ち、前述のことを繰り返す。
【００５２】
決定ポイント４１８において、個人のカウント数が１より大きいとの判定がなされた場合、プロセス４００は、決定ポイント４２４において、構成集約ビューイングプロファイルが存在するか又は識別された複数の個人に対して生成できるか否かの判定がなされる。従って、プロセス４００は、複数の個人がディスプレイデバイス１００に接近しているか否か、ディスプレイデバイス１００に接近した複数の個人の各々に対して構成ビューイングプロファイルが存在するか否かを判定し、複数の個人のうちの少なくとも２人に対して構成ビューイングプロファイルが存在すると判定されると、プロセス４００は、複数の個人のうちの少なくとも２人に対して構成統合ビューイングプロファイルが存在するか否かを判定する。別の方法において、プロファイルは、個別のプロファイルの各々に最も控えめなパラメータを採用するシステムで生成できる。
【００５３】
決定ポイント４２４において、構成統合ビューイングプロファイルが存在するとの判定がなされる場合、プロセス４００は、ブロック４２６においてベゼルディスプレイ制御装置２０６に、照明付きベゼル情報ディスプレイ１０６を用いて、構成統合ビューイングプロファイルに関連するプロファイル識別子を表示するよう指令する。ブロック４２８において、プロセス４００は、ディスプレイデバイス１００のディスプレイデバイス設定値を構成統合ビューイングプロファイルに基づいて自動的に調整して、決定ポイント４０４に戻りディスプレイデバイス１００に接近した別の個人の検出を待つ。決定ポイント４２４において、構成統合ビューイングプロファイルが存在しないとの判定がなされる場合、プロセス４００は、決定ポイント４３０において構成ビューイングプロファイルをもつ識別された個人に基づいて統合プロファイルを生成する必要があるか否かを判定する。この判定は、例えば、ベゼルディスプレイ制御装置２０６に、照明付きベゼル情報ディスプレイ１０６を用いて、識別されたユーザの１人が統合ビューイングプロファイルを作成するか否かを示す入力を行うことを要求する質問を表示するよう指示することで行うことができる。
【００５４】
決定ポイント４３０において、統合ビューイングプロファイルを作成しないことを要求するユーザ選択が検出されているという判定がなされる場合、又はタイムアウトの検出がなされると、プロセス４００は、ブロック４３２において、構成ビューイングプロファイルの１つを選択して、ベゼルディスプレイ制御装置２０６に、照明付きベゼル情報ディスプレイ１０６を用いて選択されたプロファイル識別子を表示するよう指令する。構成ビューイングプロファイルの選択は、予め構成された選択基準に基づいて行われる。例えば、ペアレンタルコントロールを導入すると、識別された個人に関して異なる制限レベルの構成ビューイングプロファイルが存在する場合、親は、最も制限されたプロファイルを自動的に選択するように選択プロセスを構成できる。このようにして、子供が部屋に入室すると、ディスプレイデバイス１００用の設定値の変更が自動的に起こり、例えば、入室した子供よりも年配の視聴者向けに格付けされた番組から変更できる。プロセス４００は、ブロック４３４においてディスプレイデバイス１００に関するディスプレイデバイス設定値を選択された構成ビューイングプロファイルに基づいて自動的に調整し、決定ポイント４０４に戻ってディスプレイデバイス１００に接近した他の個人の検出を待つ。
【００５５】
決定ポイント４３０において、統合ビューイングプロファイルを作成することを要求するユーザ選択が検出されているという判定がなされる場合、プロセス４００は、ブロック４３６において複数の個人のうちの少なくとも２人に関する既存の構成ビューイングプロファイルに基づいて統合ビューイングプロファイル設定値を生成する。例えば、プロセス４００は、統合ファミリービューイングプロファイルを生成することができる。ブロック４３８において、プロセス４００は、照明付きベゼル情報ディスプレイ１０６を用いて統合ビューイングプロファイルが生成されていることを示すため、ベゼルディスプレイ制御装置２０６に、生成されたビューイングプロファイル識別子等の識別情報を表示するよう指令する。ブロック４４０において、プロセス４００は、ディスプレイデバイス１００に関するディスプレイデバイス設定値を生成された統合ビューイングプロファイルに基づいて自動的に調整する。
【００５６】
決定ポイント４４２において、プロセス４００は、生成された統合ビューイングプロファイルを保存するか否かの判定を行う。例えば、プロセス４００は、入力デバイスを用いて、生成された統合ビューイングプロファイルをファミリービューイングプロファイルとして保存するリクエストを検出できる。生成された統合ビューイングプロファイルを保存するという判定が行われる場合、プロセス４００は、ブロック４４４において、生成された統合ビューイングプロファイルをファミリービューイングプロファイルとしてプロファイルデータベース２１８等の構成プロファイルデータベースに格納する。ブロック４４４において生成された統合ビューイングプロファイルの格納が完了するか、又は決定ポイント４４２において生成された統合ビューイングプロファイルを保存しないと判定されると、プロセス４００は、決定ポイント４０４に戻ってディスプレイデバイス１００に接近した別の個人の検出を待つ。
【００５７】
従って、プロセス４００は、ディスプレイデバイス１００に近接した領域に入る複数の個人を検出する。プロセス４００は、ディスプレイデバイス１００に接近した個人を識別して、統合ビューイングプロファイルを選択又は生成する。ディスプレイデバイス１００に関するディスプレイデバイス設定値は、選択された構成ビューイングプロファイルに基づいて自動的に調整される。選択されたビューイングプロファイルは、異なる構成ビューイングプロファイルをもつ子供等の個人の検出に基づいて自動的に変更できる。
【００５８】
図５Ａ−５Ｂは、本発明の主題による制限レベル変更のための、ベゼルに表示された識別情報を用いた自動ユーザ個人化のプロセス５００の実施例のフローチャートを示す。プロセス５００は前述の図４の主題を踏まえている。従って、前述の処理に関する特定の詳細は、簡潔にするために以下では省略されており、図４の説明に関連して前記で詳細に再検討できる。図５Ａは、プロセス５００のうちの初期の処理を示す。プロセス５００は５０２で始まる。決定ポイント５０４において、プロセス５００は、ディスプレイデバイス１００等のディスプレイデバイスに接近した個人が検出されているか否かを判定する。決定ポイント５０４において個人が検出されていると判定される場合、プロセス５００は、ブロック５０６において個人の識別を判定する。決定ポイント５０８において、プロセス５００は、識別された個人に関する、例えば、プロファイルデータベース２１８内に構成ビューイングプロファイルが存在するか否かの判定を行う。複数の個人を検出して識別できることを理解されたい。この場合、ファミリープロファイル等の統合プロファイルを構成することができ、プロファイルデータベース２１８に存在する。
【００５９】
決定ポイント５０８において、識別された個人に関する構成ビューイングプロファイルが存在しないと判定される場合、プロセス５００は、ブロック５１０において、ベゼルディスプレイ制御装置２０６に、照明付きベゼル情報ディスプレイ１０６を用いて、識別された個人に関する構成ビューイングプロファイルが存在しないという指示を表示するよう指令して、決定ポイント５０４に戻ってディスプレイデバイス１００に接近した別の個人の検出を待つ。
【００６０】
決定ポイント５０８において、構成ビューイングプロファイルが存在するという判定がなされる場合、プロセス５００は、ブロック５１２において、識別された個人に関するプロファイル情報を検索して、ベゼルディスプレイ制御装置２０６に、照明付きベゼル情報ディスプレイ１０６を用いて、プロファイル識別子を表示するよう指令する。ブロック５１４において、プロセス５００は、ディスプレイデバイス１００に関するディスプレイデバイス設定値を構成ビューイングプロファイルに基づいて自動的に調整する。
【００６１】
決定ポイント５１６において、プロセス５００は、制限レベルが個人に関する構成ビューイングプロファイルと関連があるか否かを判定する。制限レベルが個人に関する構成ビューイングプロファイルと関連があるとの判定がなされた場合、プロセス５００は、ブロック５１８において、ベゼルディスプレイ制御装置２０６に、照明付きベゼル情報ディスプレイ１０６を用いて、制限レベルが構成ビューイングプロファイルと関連することを示す制限識別子を表示するよう指令する。照明付きベゼル情報ディスプレイ１０６を用いて制限識別子を表示することは、ペアレンタルコントロール等のコンテンツ遮断機能が構成ビューイングプロファイルと関連する場合、ディスプレイデバイス１００のコンテンツ遮断機能がアクティブであるとの表示を含むことができる。
【００６２】
決定ポイント５２０において、プロセス５００は、制限レベルを検出された最新の制限レベルへ調整するリクエストがあるか否かの判定を行うが、最新の制限レベルは、例えば、親又は大人家族が入力インタフェース２２４を用いて入力するようになっている。制限レベルを最新の制限レベルへ調整するリクエストは、選択された制限レベルを増加又は減少させるためのリクエストとし得ることを理解されたい。例えば、制限レベルを増加させるリクエストは、子供が部屋に入室した際に親が発生することができるが、制限レベルを減少させるリクエストは、子供が部屋から退出した際に親が発生することができる。決定ポイント５２０における肯定判定に関する処理は、非肯定判定に関する処理の後で以下に詳細に示す。
【００６３】
制限レベルを調整するリクエストが検出されているとの判定がなされる場合、又は決定ポイント５１６において、制限レベルが構成ビューイングプロファイルに関連しないとの判定がなされると、プロセス５００は、決定ポイント５２２において、別の個人がディスプレイデバイス１００に接近することが検出されているか否かの判定を行う。プロセス５００は、別の個人が判定されるまで、又はパワーオフ状態（例示を容易にする目的で示されていない）等の他の処理が、プロセス５００のディスプレイデバイス１００に接近する別の個人を検出する処理を停止させるまで決定ポイント５２２を繰り返して実行できる。
【００６４】
ディスプレイデバイス１００の近くに別の個人が検出されているとの判定がなされる場合、プロセス５００は、ブロック５２４において別の個人の識別を判定する。ブロック５２４における処理は、個人を識別するブロック５０６、及びベゼルディスプレイ制御装置２０６に別の個人に関するビューイングプロファイル情報を表示するよう検索して指令するブロック５１２に関連する前述と同様の処理を含み得ることを理解されたい。この追加の処理は例示を容易にする目的で示されていない。
【００６５】
決定ポイント５２６において、プロセス５００は、別の個人が、検索及び処理された第１の構成ビューイングプロファイルに関する選択された制限レベルよりも高い制限レベルをもつか否かの判定を行う。例えば、大人がＲ指定の映画を見ている部屋に子供が入室した場合、プロセス５００は、子供が大人に関する制限レベルよりも高い制限レベル（例えば、より制限的な）をもつと判定できる。
【００６６】
決定ポイント５２６において、別の個人が選択された制限レベルよりも高い制限レベルをもたないとの（例えば、別の大人が入室したとの）判定がなされる場合、プロセス５００は決定ポイント５２２に戻り、前述のことを繰り返す。決定ポイント５２６において、別の個人が選択された制限レベルよりも高い制限レベルをもつとの（例えば、子供が入室したとの）判定がなされる場合、プロセス５００は、ブロック５２８において、ベゼルディスプレイ制御装置２０６に、照明付きベゼル情報ディスプレイ１０６を用いて、警報を表示するよう指令する。警報表示は、例えば、表示コンテンツのビューイングレイティングを示すテキスト表示、及びディスプレイデバイスに接近した個人以外の個人が入室したとの警告表示を含むことができる。表示された警報は、「これはＲ指定で子供が入室した」という警告を含むことができる。
【００６７】
従って、プロセス５００は、ディスプレイデバイス１００に接近した個人以外の個人の入室を検出し、ディスプレイデバイスに接近した個人以外の個人がディスプレイデバイス１００に接近した個人の制限レベルよりも高い制限レベルをもつことを判定して、ベゼルディスプレイ制御装置２０６に、照明付きベゼル情報ディスプレイ１０６を用いて、警報を表示するよう指令する。照明付きベゼル情報ディスプレイ１０６を用いて、ディスプレイデバイス１００のコンテンツの視聴を遮ることなく警報情報を表示することに関しては他の多くの可能性があり、これら全ては本発明の主題の範囲にあると見なされる。
【００６８】
決定ポイント５３０において、プロセス５００は、パワーオフ状態、又は照明付きベゼル情報ディスプレイ１０６を用いた、ディスプレイデバイス１００の設定値に関する情報及び個人化を表示するための他の作動モードへの変更等により、処理が完了したか否かの判定をおこなう。決定ポイント５３０において処理が完了しているとの判定がなされると、プロセス５００は個人が検出されたか否かを判定するために決定ポイント５０４に戻り、前述のことを繰り返す。決定ポイント５３０において処理が完了していないとの判定がなされると、プロセス５００は、制限レベルを最新の制限レベルに調整するリクエストが検出されているかを判定するために決定ポイント５２０に戻る。制限レベルを最新の制限レベルに調整するリクエストが検出されているとの判定が行われると、プロセス５００は、ブロック５３２に進み図５Ｂに関連して説明するような処理を続行する。
【００６９】
図５Ｂは、制限レベル変更に関するベゼルに表示された識別情報を用いたユーザ個人化の自動制御のためのプロセス５００の実施例の第２の部分を示す。ブロック５３２において、プロセス５００は、制限レベルを最新の制限レベルに調整するための検出リクエストに関連する個人の識別を判定する。決定ポイント５３４において、プロセス５００は、制限レベルを調整するための検出リクエストに関連する個人が制限レベルを最新の制限レベルに調整する権限をもっているか否かを判定する。制限レベルを調整するための検出リクエストに関係のある個人が制限レベルを最新の制限レベルに調整する権限をもっていない場合、プロセス５００は、前述の図５Ａに関連して説明したブロック５２８で始まる処理に戻って継続的に処理を繰り返し、ベゼルディスプレイ制御装置２０６に、制限レベルの変更をリクエストしている個人が変更をリクエストする適切な権限をもたないことを示す警報を表示するよう指令する。このようにして、プロセス５００は、両親が規定及び設定したものよりも緩い制限レベルを子供がリクエストすることを禁止できる。
【００７０】
決定ポイント５３４において、制限レベルを調整するための検出リクエストと関連する個人が制限レベルを最新の制限レベルに調整する権限をもつとの判定がなされた場合、プロセス５００は、ブロック５３６において最新の制限レベルを構成ビューイングプロファイルに割り当てる。ブロック５３８において、プロセス５００は、ベゼルディスプレイ制御装置２０６に、照明付きベゼル情報ディスプレイ１０６を用いて、最新の制限レベルを表示するよう指令する。ブロック５４０において、プロセス５００は、割り当てられた構成ビューイングプロファイルの最新の制限レベルに基づいて、ディスプレイデバイス１００に関するディスプレイデバイス設定値を自動的に調整する。プロセス５００は、前述の図５Ａに関連して説明した決定ポイント５２２で始まる処理に戻って継続的に処理を繰り返し、別の個人が検出されているか否かを判定する。前述のように、決定ポイント５３０において処理が完了しているという判定が最終的に行われている場合、プロセス５００は決定ポイント５０４に戻り、個人が検出されているか否かを判定して、前述のことを繰り返す。
【００７１】
従って、プロセス５００は、ディスプレイデバイスに接近した個人を検出し、構成ビューイングプロファイルを検索して構成ビューイングプロファイルに基づいてディスプレイデバイスの設定値を調整し、ベゼルディスプレイ制御装置に、照明付きベゼル情報ディスプレイを用いてプロファイル情報及び警報を表示するよう指令する。プロセス５００は、構成ビューイングプロファイルに関する制限レベルを構築して、構成制限レベルを調整するリクエストを処理する。構成制限レベルを調整するリクエストに応答して、プロセス５００は、構成プロファイル認証情報に基づいてリクエスト中の個人を認証し、個人が権限を与えられている場合は変更を許可するが、個人が変更をリクエストする権限を与えられていない場合は、ベゼルディスプレイ制御装置に、照明付きベゼル情報ディスプレイを用いて警報を表示するよう指令する。
【００７２】
前記説明に基づいて、本発明の主題は、ベゼルに表示された識別情報を用いてユーザ個人化を提供する。本発明の主題は、構成ビューイングプロファイルに関する情報の自動検出及び処理によって改善されたペアレンタルコントロールを提供する。更に、ベゼルに表示された識別情報を用いたユーザ個人化は、ディスプレイの表示域を遮ることなく、自動プロファイル選択に関するユーザフィードバックと一緒に提供される。
【００７３】
作動的に、視聴者の視聴体験は、ディスプレイデバイスの表示域の外側に、テキスト及び色描画機能を含むグラフィックス機能を有する、二次元照明付きベゼル情報ディスプレイを用いた対話及び情報機能を提供することで改善できる。対話及び情報処理を別個の二次元照明付きベゼル情報ディスプレイに分割することで、視聴者は、画面上の対話及び情報表示、例えば画面上メニューに遮られることなく、コンテンツを引き続き視聴することができる。
【００７４】
従って、特定の実施例において、ディスプレイの表示域を遮ることなく、自動的なプロファイル選択に関するユーザフィードバックを提供する方法は、識別プロファイル制御装置を用いて、ディスプレイデバイスに接近した個人の識別、及び個人に関する構成ビューイングプロファイルが存在するか否かを判定する段階と、個人に関する構成ビューイングプロファイルが存在すると判定すると、ベゼルディスプレイ制御装置に、ディスプレイの表示域外側のディスプレイデバイスのベゼルに配置された二次元発光ダイオード（ＬＥＤ）アレイを用いて、構成ビューイングプロファイルに関連するプロファイル識別子を表示するよう指令する段階と、構成ビューイングプロファイルに基づいてディスプレイデバイスに関するディスプレイデバイス設定値を自動的に調整する段階とを含む。
【００７５】
特定の実施例において、ディスプレイの表示域を遮ることなく、自動的なプロファイル選択に関するユーザフィードバックを提供する方法は、複数の個人がディスプレイデバイスに接近したことを判定する段階と、ディスプレイデバイスに接近した複数の個人に関する構成ビューイングプロファイルが存在するか否かを判定する段階と、複数の個人のうちに少なくとも２人に関する構成ビューイングプロファイルが存在すると判定されると、複数の個人のうちの少なくとも２人の構成統合ビューイングプロファイルが存在するか否かを判定する段階とを更に含む。特定の実施例において、複数の個人のうちの少なくとも２人の構成統合ビューイングプロファイルが存在すると判定すると、本方法は、ベゼルディスプレイ制御装置に、二次元ＬＥＤアレイを用いて、構成統合ビューイングプロファイルに関連するプロファイル識別子を表示するよう指令する段階と、構成統合ビューイングプロファイルに基づいて、ディスプレイデバイスに関するデバイス設定値を自動的に調整する段階とを更に含む。特定の実施例において、複数の個人のうちの少なくとも２人の構成統合ビューイングプロファイルが存在しないと判定すると、本方法は、複数の個人のうちの少なくとも２人に関する既存の構成ビューイングプロファイルに基づいて統合ビューイングプロファイル設定値を生成する段階と、ベゼルディスプレイ制御装置に、二次元ＬＥＤアレイを用いて、統合ビューイングプロファイルが生成されているという識別情報を表示するよう指令する段階と、生成された統合ビューイングプロファイルに基づいて、ディスプレイデバイスに関するディスプレイデバイス設定値を自動的に調整する段階を更に含む。
【００７６】
特定の実施例において、本方法は、入力デバイスによって生成された統合ビューイングプロファイルをファミリービューイングプロファイルとして保存するリクエストを検出する段階と、プロファイルデータベース内に生成された統合ビューイングプロファイルをファミリービューイングプロファイルとして格納する段階とを更に含む。特定の実施例において、複数の個人のうちの少なくとも１人の構成ビューイングプロファイルが存在しないと判定すると、本方法は、ベゼルディスプレイ制御装置に、二次元ＬＥＤアレイを用いて、複数の個人のうちの少なくとも１人の構成ビューイングプロファイルが存在しないという指示を表示するよう指令する段階を更に含む。特定の実施例において、個人の構成ビューイングプロファイルが存在しないと判定すると、本方法は、ベゼルディスプレイ制御装置に、二次元ＬＥＤアレイを用いて、個人に関する構成ビューイングプロファイルが存在しないという指示を表示するよう指令する段階を更に含む。
【００７７】
特定の実施例において、本方法は、ディスプレイデバイスに関するディスプレイデバイス設定値を制御するために使用する既定パラメータを含む既定ビューイングプロファイルを選択する段階と、既定ビューイングプロファイルに基づいてディスプレイデバイスに関するディスプレイデバイス設定値を自動的に調整する段階と、ベゼルディスプレイ制御装置に、二次元ＬＥＤアレイを用いて、既定ビューイングプロファイルが選択されたという指示を表示するよう指令する段階を更に含む。特定の実施例において、本方法は、制限レベルが個人に関する構成ビューイングプロファイルに関連することを判定する段階と、ベゼルディスプレイ制御装置に、二次元ＬＥＤアレイを用いて、構成ビューイングプロファイルに関連する制限レベルを示す制限識別子を表示するよう指令する段階とを更に含む。特定の実施例において、ベゼルディスプレイ制御装置に、二次元ＬＥＤアレイを用いて、制限識別子を表示するよう指令する方法は、ベゼルディスプレイ制御装置に、ディスプレイデバイスのコンテンツ遮断機能がアクティブであることを表示するよう指令する段階を含む。特定の実施例において、本方法は、構成ビューイングプロファイルに関連する制限レベルを最新の制限レベルに調整するリクエストを検出する段階と、制限レベルを最新の制限レベルに調整するための検出リクエストに関連する個人の識別を判定する段階と、制限レベルを調整するための検出リクエストに関連する個人が、制限レベルを最新の制限レベルに調整する権限をもつか否かを判定する段階と、制限レベルを最新の制限レベルに調整するための検出リクエストに関連する個人が、制限レベルを調整する権限をもつと判定されると、最新の制限レベルを構成ビューイングプロファイルに割り当てる段階と、ベゼルディスプレイ制御装置に、二次元ＬＥＤアレイを用いて、最新の制限レベルを表示するよう指令する段階と、割り当てられた構成ビューイングプロファイルの最新の制限レベルに基づいて、ディスプレイデバイスに関するディスプレイデバイス設定値を自動的に調整する段階を更に含む。
【００７８】
特定の実施例において、本方法は、ディスプレイデバイスに接近した個人以外の個人の入室を検出する段階と、ディスプレイデバイスに接近した個人以外の個人がディスプレイデバイスに接近した個人の制限レベルよりも高い制限レベルをもつことを判定する段階と、ベゼルディスプレイ制御装置に、二次元ＬＥＤアレイを用いて、警報を表示するよう指令する段階とを更に含む。特定の実施例において、表示された警報は、表示コンテンツのビューイングレイティング及びディスプレイデバイスに接近した個人以外の個人が入室したという警告を示すテキストを含む。特定の実施例において、表示された警報は、コンテンツレイティング警告メッセージを含む。
【００７９】
特定の実施例において、ディスプレイデバイスに接近した個人の識別を判定する方法は、個人の少なくとも１つの特徴の生体分析を行う段階を含む。特定の実施例において、個人の少なくとも１つの特徴の生体分析を行う方法は、個人の識別特徴を判定する段階と、個人の識別特徴をプロファイルデータベース内に格納された識別特徴と比較する段階と、個人の識別特徴がプロファイルデータベース内に存在するか否かを判定する段階とを含む。特定の実施例において、個人の識別特徴がプロファイルデータベース内に存在すると判定されると、本方法は、プロファイルデータベース内の個人の識別特徴に関連するプロファイルデータベースレコードから、ディスプレイデバイスに接近した個人の識別を検索する段階を更に含む。特定の実施例において、個人の識別特徴を判定する方法は、個人に関連する指紋スキャンを受信する段階、個人に関連する顔画像スキャンを受信する段階、個人に関連するパスコードを受信する段階、及び取り込んだ個人の会話を表す音声認識モジュールからのスペクトル画像を受信する段階のうちの少なくとも１つを含む。特定の実施例において、個人の識別特徴を判定する方法は、ディスプレイデバイスに関連する遠隔制御デバイスから生体情報を受信する段階を含む。
【００８０】
特定の実施例において、遠隔制御デバイスから生体情報を受信する方法は、個人の顔の画像スキャンを受信する段階、個人の音声の音声スキャンを受信する段階、及び個人の指紋スキャンを受信する段階のうちの少なくとも１つを含む。特定の実施例において、個人の識別特徴をプロファイルデータベースと比較する方法は、個人の識別特徴を用いてプロファイルデータベースを探索する段階を含み、個人の識別特徴がプロファイルデータベース内に存在するか否かを判定する方法は、個人の識別特徴に関するプロファイルデータベース内に照合一致が存在するか否かを判定する段階を含む。特定の実施例において、ディスプレイデバイスはテレビのディスプレイを含む。特定の実施例において、本方法は、ベゼルディスプレイ制御装置に、二次元ＬＥＤアレイを用いて、構成ビューイングプロファイルに関連するユーザ識別子、構成ビューイングプロファイルに関連するプロファイル識別子、テレビディスプレイに描画される番組内容に関連するコンテンツレイティング、構成ビューイングプロファイルを用いて個人に関連する最大コンテンツレイティング、及び構成ビューイングプロファイルに関連して広告を出すためのプロファイル基本設定に基づく広告の少なくとも１つを表示するよう指令する段階を含む。
【００８１】
別の実施例において、ンピュータで読み取り可能な格納媒体は、１つ又はそれ以上のプログラム処理装置で実行されると、ディスプレイの表示域を遮ることなく自動的なプロファイル選択に関するユーザフィードバックを提供するプロセスを行う命令を格納し、該命令は、識別プロファイル制御装置を用いて、ディスプレイデバイスに接近した個人の識別、及び個人に関する構成ビューイングプロファイルが存在するか否かを判定する段階と、個人に関する構成ビューイングプロファイルが存在すると判定すると、ベゼルディスプレイ制御装置に、ディスプレイの表示域外側のディスプレイデバイスのベゼルに配置された二次元発光ダイオード（ＬＥＤ）アレイを用いて、構成ビューイングプロファイルに関連するプロファイル識別子を表示するよう指令する段階と、構成ビューイングプロファイルに基づいてディスプレイデバイスに関するディスプレイデバイス設定値を自動的に調整する段階とを含む。
【００８２】
別の実施例を実現する装置は、所定の表示域を含むディスプレイと、ディスプレイの表示域外側のディスプレイデバイスのベゼル内に配置される二次元発光ダイオード（ＬＥＤ）アレイと、ディスプレイの表示域を遮ることなく自動的なプロファイル選択に関連するユーザフィードバックを提供するように構成されたベゼルディスプレイ制御装置と、構成ビューイングプロファイルを格納するメモリと、識別プロファイル制御装置とを有するディスプレイデバイスを備え、識別プロファイル制御装置は、ディスプレイデバイスに接近した個人の識別を判定すると共に個人に関する構成ビューイングプロファイルがメモリ内に存在するか否かを判定し、個人に関する構成ビューイングプロファイルが存在すると判定すると、ベゼルディスプレイ制御装置に、ディスプレイの表示域外側のディスプレイデバイスのベゼルに配置された二次元ＬＥＤアレイを用いて、構成ビューイングプロファイルに関連するプロファイル識別子を表示するよう指令し、構成ビューイングプロファイルに基づいてディスプレイデバイスに関するディスプレイデバイス設定値を自動的に調整するように構成される。
【００８３】
特定の実施例において、識別プロファイル制御装置は、複数の個人がディスプレイデバイスに接近したことを判定し、ディスプレイデバイスに接近した複数の個人の各々に関して構成ビューイングプロファイルが存在するか否かを判定し、複数の個人のうちの少なくとも２人に関する構成ビューイングプロファイルが存在すると判定されると、複数の個人のうちの少なくとも２人に関する構成統合ビューイングプロファイルが存在するか否かを判定するように更に構成される。特定の実施例において、複数の個人のうちの少なくとも２人に関する構成統合ビューイングプロファイルが存在すると判定されると、識別プロファイル制御装置は、ベゼルディスプレイ制御装置に、二次元ＬＥＤアレイを用いて、構成統合ビューイングプロファイルに関連するプロファイル識別子を表示するよう指令し、構成統合ビューイングプロファイルに基づいてディスプレイデバイスに関するデバイス設定値を自動的に調整するように更に構成される。特定の実施例において、複数の個人のうちの少なくとも２人に関する構成統合ビューイングプロファイルが存在しないと判定されると、識別プロファイル制御装置は、複数の個人のうちの少なくとも２人に関する既存の構成ビューイングプロファイルに基づいて統合ビューイングプロファイル設定値を生成し、ベゼルディスプレイ制御装置に、二次元ＬＥＤアレイを用いて、統合ビューイングプロファイルが生成されているという識別情報を表示するよう指令し、生成された統合ビューイングプロファイルに基づいてディスプレイデバイスに関するディスプレイデバイス設定値を自動的に調整するように更に構成される。
【００８４】
特定の実施例において、メモリはプロファイルデータベースを含み、本装置は入力デバイスを更に有し、識別プロファイル制御装置は、入力デバイスを用いて、生成された統合ビューイングプロファイルをファミリービューイングプロファイルとして保存するリクエストを検出し、生成された統合ビューイングプロファイルをファミリービューイングプロファイルとしてプロファイルデータベース内に格納するように更に構成される。特定の実施例において、複数の個人のうちの少なくとも１人に関する構成ビューイングプロファイルが存在しないと判定されると、識別プロファイル制御装置は、ベゼルディスプレイ制御装置に、二次元ＬＥＤアレイを用いて、複数の個人のうちの少なくとも１人に関する構成ビューイングプロファイルが存在しないという指示を表示するよう指令するように更に構成される。特定の実施例において、個人も関する構成ビューイングプロファイルが存在しないと判定されると、識別プロファイル制御装置は、ベゼルディスプレイ制御装置に、二次元ＬＥＤアレイを用いて、個人も関する構成ビューイングプロファイルが存在しないという指示を表示するよう指令するように更に構成される。特定の実施例において、識別プロファイル制御装置は、ディスプレイデバイスに関するディスプレイデバイス設定値を制御するために使用する既定パラメータを含む既定ビューイングプロファイルを選択し、既定ビューイングプロファイルに基づいてディスプレイデバイスに関するディスプレイデバイス設定値を自動的に調整し、ベゼルディスプレイ制御装置に、二次元ＬＥＤアレイを用いて、既定ビューイングプロファイルが選択されているという指示を表示するよう指令するように更に構成される。
【００８５】
特定の実施例において、識別プロファイル制御装置は、制限レベルが個人の構成ビューイングプロファイルに関連することを判定し、ベゼルディスプレイ制御装置に、二次元ＬＥＤアレイを用いて、構成ビューイングプロファイルに関連する制限レベルを示す制限識別子を表示するよう指令するように更に構成される。特定の実施例において、ベゼルディスプレイ制御装置に二次元ＬＥＤアレイを用いて制限識別子を表示するよう指令するように構成される、識別プロファイル制御装置は、ベゼルディスプレイ制御装置にディスプレイデバイスのコンテンツ遮断機能がアクティブであることを表示するよう指令するように構成される。特定の実施例において、本装置は入力デバイスを更に有し、識別プロファイル制御装置は、入力デバイスを用いて構成ビューイングプロファイルに関連する制限レベルを最新の制限レベルに調整するためのリクエストを検出し、制限レベルを最新の制限レベルに調整するための検出リクエストに関連する個人の識別を判定し、制限レベルを調整するための検出リクエストに関連する個人が制限レベルを最新の制限レベルに調整する権限ももっているか否かを判定し、制限レベルを最新の制限レベルに調整するための  検出リクエストに関連する個人が制限レベルを変更する権限をもつと判定されると、最新の制限レベルを構成ビューイングプロファイルに割り当て、ベゼルディスプレイ制御装置に、二次元ＬＥＤアレイを用いて最新の制限レベルを表示するよう指令し、ディスプレイデバイスに関するディスプレイデバイス設定値を構成ビューイングプロファイルの最新の制限レベルに基づいて自動的に調整するように更に構成される。
【００８６】
特定の実施例において、識別プロファイル制御装置は、ディスプレイデバイスに接近した個人以外の個人の入室を検出し、ディスプレイデバイスに接近した個人以外の個人が、ディスプレイデバイスに接近した個人の制限レベルよりも高い制限レベルを有するか否かを判定し、ベゼルディスプレイ制御装置に、二次元ＬＥＤアレイを用いて、警報を表示するよう指令するように更に構成される。特定の実施例において、表示された警報は、表示コンテンツのビューイングレイティング及びディスプレイデバイスに接近した個人以外の個人が入室したという警告を示すテキストを含む。特定の実施例において、表示された警報は、コンテンツレイティング警告メッセージを含む。特定の実施例において、ディスプレイデバイスに接近した個人の識別を判定するよう構成された、識別プロファイル制御装置は、個人の少なくとも１つの特徴の生体分析を行うように構成される。特定の実施例において、メモリはプロファイルデータベースを含み、個人の少なくとも１つの特徴の生体分析を行うように構成された識別プロファイル制御装置は、個人の識別特徴を判定し、個人の識別特徴をプロファイルデータベース内に格納された識別特徴と比較し、個人の識別特徴がプロファイルデータベース内に存在するか否かを判定するように構成される。特定の実施例において、個人の識別特徴がプロファイルデータベース内に存在すると判定されると、識別プロファイル制御装置は、プロファイルデータベース内の個人の識別特徴に関連するプロファイルデータベースレコードから、ディスプレイデバイスに接近した個人の識別を検索するように更に構成される。特定の実施例において、個人の識別特徴を判定するように構成された識別プロファイル制御装置は、個人に関連する指紋スキャンを受信する、個人に関連する顔画像スキャンを受信する、個人に関連するパスコードを受信する、及び取り込んだ個人の会話を表す音声認識モジュールからのスペクトル画像を受信する中の少なくとも１つを行うようになっている。特定の実施例において、本装置はディスプレイデバイスに関連する遠隔制御デバイスを有し、個人の識別特徴を判定するよう構成された識別プロファイル制御装置は、遠隔制御デバイスから生体情報を受信するように構成される。特定の実施例において、遠隔制御デバイスから生体情報を受信するように構成された識別プロファイル制御装置は、個人の顔の画像スキャンを受信する、個人の音声の音声スキャンを受信する、及び個人の指紋スキャンを受信する中の少なくとも１つを行うようになっている。特定の実施例において、個人の識別特徴をプロファイルデータベースと比較するように構成された識別プロファイル制御装置は、個人の識別特徴を用いてプロファイルデータベースを探索するように構成され、個人の識別特徴がプロファイルデータベース内に存在するか否かを判定するよう構成された識別プロファイル制御装置は、個人の識別特徴に関するプロファイルデータベース内に照合一致が存在するか否かを判定するように構成される。特定の実施例において、ディスプレイデバイスはテレビのディスプレイを含む。特定の実施例において、識別プロファイル制御装置は、ベゼルディスプレイ制御装置に、二次元ＬＥＤアレイを用いて、構成ビューイングプロファイルに関連するユーザ識別子、構成ビューイングプロファイルに関連するプロファイル識別子、テレビディスプレイに描画される番組内容に関連するコンテンツレイティング、構成ビューイングプロファイルを用いて個人に関連する最大コンテンツレイティング、及び構成ビューイングプロファイルに関連して広告を出すためのプロファイル基本設定に基づく広告の少なくとも１つを表示するよう指令するように更に構成される。
【００８７】
本明細書の特定の実施形態は、説明した機能を実行する特定の回路に関して説明したが、回路機能が１つ又はそれよりも多くのプログラムされたプロセッサで実行される同等の要素を使用して実行される他の実施形態も考えられる。他の同等の実施形態を構成するために、汎用コンピュータ、マイクロプロセッサベースのコンピュータ、マイクロコントローラ、光学コンピュータ、アナログコンピュータ、専用プロセッサ、特定用途向け回路及び／又は専用ハードワイヤード論理、及びアナログ回路を使用することができる。専用ハードウエア、専用プロセッサ、又はその組合せのようなハードウエア構成要素の均等物を使用する他の実施形態も実施することができる。
【００８８】
特定の実施形態は、あらゆる適切な電子又はコンピュータ可読ストレージ媒体（例えば、ディスクストレージ、「読取専用メモリ（ＲＯＭ）」デバイス、「ランダムアクセスメモリ（ＲＡＭ）」デバイス、ネットワークメモリデバイス、光学格納要素、磁気格納要素、磁気光学格納要素、フラッシュメモリ、コアメモリ、及び／又は他の同等の揮発性及び不揮発性格納技術など）に格納することができるある一定の事例において流れ図形式で広義に上述したプログラミング命令を実行する１つ又はそれよりも多くのプログラムされたプロセッサを使用して実施することができる。しかし、当業者は、本教示を考えた上で、本発明の実施形態から逸脱することなく上述の処理をいずれの数の変形においても及び多くの適切なプログラミング言語に実施することができることを認めるであろう。例えば、実行するある一定の作動の順序は、変更することができる場合が多く、本発明の特定の実施形態から逸脱することなく付加的な作動を追加することができ、又は作動を削除することができる。本発明の特定の実施形態から逸脱することなく誤差捕捉を追加及び／又は強化することができ、ユーザインタフェース及び情報呈示に変形を実行することができる。このような変形が考えられており、かつ同等と見なされる。
【００８９】
特定の例示的な実施形態を説明したが、多くの代替、修正、置換、及び変形が以上の説明の観点から当業者に明らかになることは明らかである。
【図１】
0005580428.tif 000002
【図２】
0005580428.tif 000003
【図３】
0005580428.tif 000004
【図４】
0005580428.tif 000005
【図５Ａ】
0005580428.tif 000006
【図５Ｂ】
0005580428.tif 000007